(57)【要約】【課題】輝度分布の紛乱程度で電子式ディスプレイの表示品質を試験する方法の提供。【解決手段】撮影ユニット（ＣＣＤ電子顕微カメラ或いはＣＭＯＳディジタルカメラ）で移動或いは静止方式で試験する電子式ディスプレイの表示画像を取得し、撮影ユニットが各種イメージパターンの画像を取得した後、画像ディジタル化ユニット（例えば画像キャプチャカード）を透過し紛乱程度検出ユニットに伝送してコンピュータでキャプチャした全ての画像のディジタル化したデータに対して乱度分析の公式を用いて紛乱特性値を得て、並びに統計分析し、許容標準差範囲を超過した領域を表示して電子式ディスプレイの品質異常の部分を表示し、このような試験方法を以て従来の人工目視検査の方式の代わりとすることで自動化検査の目的を達成する。【選択図】        図２
2004347363.tif 000002
【特許請求の範囲】
【請求項１】
輝度分布の紛乱程度で電子式ディスプレイの表示品質を検査する方法において、撮影ユニットで電子式ディスプレイのイメージパターンを取得し、画像ディジタル化ユニットにより取得したイメージパターンをディジタル化し並びに紛乱程度検出ユニットに伝送し、紛乱程度検出ユニットが以下のａからｇのプロセスにより取得した画像を処理し、即ち、
ａ．画像の全部或いは一部をＮ個の処理エリアに区分する
ｂ．各処理エリア中の、各画素のグレーレベルを読み出す
ｃ．各処理エリア中の、全ての画素グレーレベルを以下の乱度分析の公式に入れる：
Σｆ（Ｐ（ｉ））＊  ｉ＝Ｅ（ｊ）
そのうち、
ｉ＝０〜Ｋ
Ｋは処理エリア中の全てのグレーレベルの範囲
ｉはグレーレベル
Ｐ（ｉ）は処理エリア中のグレーレベルがｉとなる確率
Ｅは処理エリアの紛乱特性値
ｊは処理エリアのコード
ｄ．全てのＮ個の処理エリア５１の紛乱特性値Ｅ（１）〜Ｅ（Ｎ）を求める
ｅ．全ての紛乱特性値取得後に、その統計分布、標準差、変異数値を計算する
ｆ．全てのＥ（ｊ）の値の全ての統計分布の全体平均値よりも特定標準差数量を超過するかその他の統計方式の近似範囲外に飛びだしていれば、その対応する欠陥エリア５１０を表示品質に異常があるものと認定する
ｇ．複数の隣り合う異常欠陥エリアを連結して一つの完全なエリアとして正確に表示品質異常部分を指示する：
以上を特徴とする、輝度分布の紛乱程度で電子式ディスプレイの表示品質を検査する方法。
【請求項２】
請求項１記載の輝度分布の紛乱程度で電子式ディスプレイの表示品質を検査する方法において、撮影ユニットがＣＣＤ電子顕微カメラとされて電子式ディスプレイの各エリアを撮影し、各異なるイメージパターンがデータ分析のソースとされることを特徴とする、輝度分布の紛乱程度で電子式ディスプレイの表示品質を検査する方法。
【請求項３】
請求項１記載の輝度分布の紛乱程度で電子式ディスプレイの表示品質を検査する方法において、撮影ユニットがＣＭＯＳディジタルカメラとされて電子式ディスプレイの各エリアを撮影し、各異なるイメージパターンがデータ分析のソースとされることを特徴とする、輝度分布の紛乱程度で電子式ディスプレイの表示品質を検査する方法。
【請求項４】
請求項１記載の輝度分布の紛乱程度で電子式ディスプレイの表示品質を検査する方法において、画像ディジタル化ユニットが画像キャプチャカードを具えて撮影ユニットの取得した画像をディジタル化した後に紛乱程度検出ユニットに送ることを特徴とする、輝度分布の紛乱程度で電子式ディスプレイの表示品質を検査する方法。
【請求項５】
請求項１記載の輝度分布の紛乱程度で電子式ディスプレイの表示品質を検査する方法において、紛乱程度検出ユニットがコンピュータとされてコンピュータソフトにより処理操作を行うことを特徴とする、輝度分布の紛乱程度で電子式ディスプレイの表示品質を検査する方法。
【請求項６】
請求項１記載の輝度分布の紛乱程度で電子式ディスプレイの表示品質を検査する方法において、検査される電子式ディスプレイの面積が撮影ユニットの撮影するエリア面積より大きい時、移動撮影補助ユニットを利用して撮影ユニットを異なる位置に移動させて撮影させ、該移動撮影補助ユニットがＸＹステージと移動制御の装置を具えたことを特徴とする、輝度分布の紛乱程度で電子式ディスプレイの表示品質を検査する方法。
【請求項７】
請求項１記載の輝度分布の紛乱程度で電子式ディスプレイの表示品質を検査する方法において、検出したい欠陥品質不良要求により電子式ディスプレイが異なる色彩、グレーレベルの明点、暗点或いはムラ（ＭＵＲＡ）の部分或いは全部のエリアが瑕疵のイメージパターンを表示することを特徴とする、輝度分布の紛乱程度で電子式ディスプレイの表示品質を検査する方法。
【請求項８】
請求項１記載の輝度分布の紛乱程度で電子式ディスプレイの表示品質を検査する方法において、紛乱程度検出ユニットの取得した欠陥エリアの画像がコンピュータスクリーンに表示され、その表示内容が画像とエリア区分格子及び各格子の紛乱特性値、欠陥エリアの欠陥画像、コンピュータにより処理分析された各エリアの紛乱特性値統計図及びその他の検査員の必要な分析データとされうることを特徴とする、輝度分布の紛乱程度で電子式ディスプレイの表示品質を検査する方法。
【請求項９】
請求項１記載の輝度分布の紛乱程度で電子式ディスプレイの表示品質を検査する方法において、紛乱程度検出ユニットの取得した欠陥エリアの画像がネットワークにより伝送され、その伝送内容が画像画像と区分エリア格子及び各格子の紛乱特性値、欠陥エリアの欠陥画像、コンピュータにより処理分析された各エリアの紛乱特性値統計図及びその他の検査員の必要な分析データとされうることを特徴とする、輝度分布の紛乱程度で電子式ディスプレイの表示品質を検査する方法。
【発明の詳細な説明】
【０００１】
【発明の属する技術分野】
本発明は一種の輝度分布の紛乱程度で電子式ディスプレイの表示品質を検査する方法に係り、特に、電子式ディスプレイに対するこれまでの人工目視による品質検査方法を改善した、自動化検査方法に関する。
【０００２】
【従来の技術】
現在の電子式ディスプレイ例えばＬＣＤ液晶ディスプレイは、その表示品質が通常人工目視検査方式により判断されるが、検査員の検査当時の眼精疲労程度、色識別能力により検査結果が不安定となり大量の誤判断（ＯＶＥＲ  ＫＩＬＬ
ｏｒ  ＳＫＩＰ）を形成しうる。
【０００３】
【発明が解決しようとする課題】
本発明は上述の従来の技術の問題を鑑み、一種の輝度分布の紛乱程度で電子式ディスプレイの表示品質を検査する方法を提供する、それは自動化検査の目的を達成するだけでなく、人工目視検査結果の不安定さを防止でき、並びに電子式ディスプレイ自身の輝度分布の不均一が一般の検査ロジックに対して形成する大量の誤判断を有効に防止できるものとする。
【０００４】
【課題を解決するための手段】
請求項１の発明は、輝度分布の紛乱程度で電子式ディスプレイの表示品質を検査する方法において、撮影ユニットで電子式ディスプレイのイメージパターンを取得し、画像ディジタル化ユニットにより取得したイメージパターンをディジタル化し並びに紛乱程度検出ユニットに伝送し、紛乱程度検出ユニットが以下のａからｇのプロセスにより取得した画像を処理し、即ち、
ａ．画像の全部或いは一部をＮ個の処理エリアに区分する
ｂ．各処理エリア中の、各画素のグレーレベルを読み出す
ｃ．各処理エリア中の、全ての画素グレーレベルを以下の乱度分析の公式に入れる：
Σｆ（Ｐ（ｉ））＊  ｉ＝Ｅ（ｊ）
そのうち、
ｉ＝０〜Ｋ
Ｋは処理エリア中の全てのグレーレベルの範囲
ｉはグレーレベル
Ｐ（ｉ）は処理エリア中のグレーレベルがｉとなる確率
Ｅは処理エリアの紛乱特性値
ｊは処理エリアのコード
ｄ．全てのＮ個の処理エリア５１の紛乱特性値Ｅ（１）〜Ｅ（Ｎ）を求める
ｅ．全ての紛乱特性値取得後に、その統計分布、標準差、変異数値を計算する
ｆ．全てのＥ（ｊ）の値の全ての統計分布の全体平均値よりも特定標準差数量を超過するかその他の統計方式の近似範囲外に飛びだしていれば、その対応する欠陥エリア５１０を表示品質に異常があるものと認定する
ｇ．複数の隣り合う異常欠陥エリアを連結して一つの完全なエリアとして正確に表示品質異常部分を指示する：
以上を特徴とする、輝度分布の紛乱程度で電子式ディスプレイの表示品質を検査する方法としている。
請求項２の発明は、請求項１記載の輝度分布の紛乱程度で電子式ディスプレイの表示品質を検査する方法において、撮影ユニットがＣＣＤ電子顕微カメラとされて電子式ディスプレイの各エリアを撮影し、各異なるイメージパターンがデータ分析のソースとされることを特徴とする、輝度分布の紛乱程度で電子式ディスプレイの表示品質を検査する方法としている。
請求項３の発明は、請求項１記載の輝度分布の紛乱程度で電子式ディスプレイの表示品質を検査する方法において、撮影ユニットがＣＭＯＳディジタルカメラとされて電子式ディスプレイの各エリアを撮影し、各異なるイメージパターンがデータ分析のソースとされることを特徴とする、輝度分布の紛乱程度で電子式ディスプレイの表示品質を検査する方法としている。
請求項４の発明は、請求項１記載の輝度分布の紛乱程度で電子式ディスプレイの表示品質を検査する方法において、画像ディジタル化ユニットが画像キャプチャカードを具えて撮影ユニットの取得した画像をディジタル化した後に紛乱程度検出ユニットに送ることを特徴とする、輝度分布の紛乱程度で電子式ディスプレイの表示品質を検査する方法としている。
請求項５の発明は、請求項１記載の輝度分布の紛乱程度で電子式ディスプレイの表示品質を検査する方法において、紛乱程度検出ユニットがコンピュータとされてコンピュータソフトにより処理操作を行うことを特徴とする、輝度分布の紛乱程度で電子式ディスプレイの表示品質を検査する方法としている。
請求項６の発明は、請求項１記載の輝度分布の紛乱程度で電子式ディスプレイの表示品質を検査する方法において、検査される電子式ディスプレイの面積が撮影ユニットの撮影するエリア面積より大きい時、移動撮影補助ユニットを利用して撮影ユニットを異なる位置に移動させて撮影させ、該移動撮影補助ユニットがＸＹステージと移動制御の装置を具えたことを特徴とする、輝度分布の紛乱程度で電子式ディスプレイの表示品質を検査する方法としている。
請求項７の発明は、請求項１記載の輝度分布の紛乱程度で電子式ディスプレイの表示品質を検査する方法において、検出したい欠陥品質不良要求により電子式ディスプレイが異なる色彩、グレーレベルの明点、暗点或いはムラ（ＭＵＲＡ）の部分或いは全部のエリアが瑕疵のイメージパターンを表示することを特徴とする、輝度分布の紛乱程度で電子式ディスプレイの表示品質を検査する方法としている。
請求項８の発明は、請求項１記載の輝度分布の紛乱程度で電子式ディスプレイの表示品質を検査する方法において、紛乱程度検出ユニットの取得した欠陥エリアの画像がコンピュータスクリーンに表示され、その表示内容が画像とエリア区分格子及び各格子の紛乱特性値、欠陥エリアの欠陥画像、コンピュータにより処理分析された各エリアの紛乱特性値統計図及びその他の検査員の必要な分析データとされうることを特徴とする、輝度分布の紛乱程度で電子式ディスプレイの表示品質を検査する方法としている。
請求項９の発明は、請求項１記載の輝度分布の紛乱程度で電子式ディスプレイの表示品質を検査する方法において、紛乱程度検出ユニットの取得した欠陥エリアの画像がネットワークにより伝送され、その伝送内容が画像画像と区分エリア格子及び各格子の紛乱特性値、欠陥エリアの欠陥画像、コンピュータにより処理分析された各エリアの紛乱特性値統計図及びその他の検査員の必要な分析データとされうることを特徴とする、輝度分布の紛乱程度で電子式ディスプレイの表示品質を検査する方法としている。
【０００５】
【発明の実施の形態】
図１に示されるように、本発明は一種の輝度分布の紛乱程度で電子式ディスプレイの表示品質を検査する方法を提供する。この方法に用いられる装置は以下を具えている。
撮影ユニット２，該撮影ユニットは、ＣＣＤ電子顕微カメラ或いはＣＭＯＳディジタルカメラとされて検査される電子式ディスプレイ１の各エリアを撮影し、各異なるイメージパターンをデータ分析のソースとなし、その撮影した画像は図３に示されるようである。
移動撮影補助ユニット３，該移動撮影補助ユニット３はＸＹステージ及び移動制御の装置を具え、検査される電子式ディスプレイ１の面積が撮影ユニット２の撮影するエリア面積より大きい時、この移動撮影補助ユニット３を使用して撮影ユニット２を異なる位置に移動させて画像を取り込む。
画像ディジタル化ユニット４，該画像ディジタル化ユニット４は撮影ユニット２により取得した画像をこの画像ディジタル化ユニット４の画像キャプチャカードによりディジタル化し（ディジタル化した画像は図４に示されるようである）、その後に紛乱程度検出ユニット５に送る。
紛乱程度検出ユニット５，該紛乱程度検出ユニット５はコンピュータでディジタル化した画像を本方法の特有の紛乱程度公式で演算し、紛乱特性値を得て、並びに統計分析する。
【０００６】
本発明の検査方法は以下のとおりである。
１．撮影ユニット２を移動撮影補助ユニット３の上に取り付け、移動或いは静止方式で検査される電子式ディスプレイ１の表示画像を取得する。
２．検査される電子式ディスプレイ１に検出が必要な欠陥特性に対して異なるイメージパターン（各種の異なる色彩、グレーレベル等）を表示させる。
３．撮影ユニット２の取得した画像を、画像ディジタル化ユニット４を透過してディジタル化し並びに紛乱程度検出ユニット５に伝送し、以下のプロセスにより取得した画像を処理する（図２の如し。）。
ａ．画像の全部或いは一部をＮ個の処理エリア５１に区分する（図５参照）。
ｂ．各処理エリア５１中の、各画素（ｐｉｘｅｌ）のグレーレベル（ｇｒａｙｌｅｖｅｌ）を読み出す。
ｃ．各処理エリア５１中の、全ての画素グレーレベルを以下の乱度分析の公式に入れる：
Σｆ（Ｐ（ｉ））＊  ｉ＝Ｅ（ｊ）
そのうち、
ｉ＝０〜Ｋ
Ｋは処理エリア５１中の全てのグレーレベルの範囲
ｉはグレーレベル
Ｐ（ｉ）は処理エリア５１中のグレーレベルがｉとなる確率
Ｅは処理エリア５１の紛乱特性値
ｊは処理エリア５１のコード。
ｄ．全てのＮ個の処理エリア５１の紛乱特性値Ｅ（１）〜Ｅ（Ｎ）を求める。
ｅ．全ての紛乱特性値取得後に、その統計分布、標準差、変異数値を計算する。
ｆ．全てのＥ（ｊ）の値の全ての統計分布の全体平均値よりも特定標準差数量を超過するかその他の統計方式の近似範囲外に飛びだしていれば（図６参照）、その対応する欠陥エリア５１０を表示品質に異常があるものと認定する（図８参照）。
ｇ．複数の隣り合う異常欠陥エリア５１０を連結して一つの完全なエリアとして正確に表示品質異常部分を指示する。
４．欠陥エリア５１０をコンピュータスクリーン上に表示するか或いはネットワークで伝送する。表示或いは伝送内容は以下のとおりである。
ａ．画像と分割エリア格子及び各格子の紛乱特性値（図５参照）。
ｂ．欠陥エリア５１０の欠陥画像（図８参照）。
ｃ．各エリアの紛乱特性値統計図（図９参照）。
ｄ．その他の検査員の必要とする分析データ（図示せず）。
【０００７】
【発明の効果】
総合すると、本発明の電子式ディスプレイの品質検査の方式は以下の効果を発生する。
１．自動化検査の目的を達成する。
２．この方式は人の眼の表示品質に対する真実の反応を模擬する。人は並びに単純にグレーレベル／輝度により表示品質に反応するのではなく、目視検査当時の状況（色識別能力、眼精疲労程度）の関係によっても、検査結果の不安定を形成しうるが、本発明の方法はディスプレイ自身の輝度分布不均一の一般の検査ロジックに対して形成する大量の誤判断を有効に防止することができる。
【図面の簡単な説明】
【図１】本発明の実施例のハードウエア検査構造表示図である。
【図２】本発明の実施例の乱度分析の公式演算のフローチャートである。
【図３】本発明の実施例の検査される電子式ディスプレイスクリーン外観図である。
【図４】本発明の実施例の検査される電子式ディスプレイスクリーンのディジタル化後の画像表示図である。
【図５】本発明の実施例の検査される電子式ディスプレイの画像エリアの紛乱特性値表示図である。
【図６】図５の部分拡大図である。
【図７】本発明の実施例の許容標準差範囲を超過した領域の表示図である。
【図８】図７の部分拡大図である。
【図９】本発明の実施例の各エリア紛乱特性値統計図である。
【符号の説明】
１  電子式ディスプレイ
２  撮影ユニット
３  移動撮影補助ユニット
４  画像ディジタル化ユニット
５  紛乱程度検出ユニット
５１  処理エリア
５１０  欠陥エリア
【図１】
2004347363.tif 000003
【図２】
2004347363.tif 000004
【図３】
2004347363.tif 000005
【図４】
2004347363.tif 000006
【図５】
2004347363.tif 000007
【図６】
2004347363.tif 000008
【図７】
2004347363.tif 000009
【図８】
2004347363.tif 000010
【図９】
2004347363.tif 000011